(57)【要約】【課題】隣接スイッチが同時押しされない多方向入力構造を提供する。【解決手段】押込部位(B1〜B4)が複数設定されたキー(1)と各押込部位(B1〜B4)に対応しキー(1)の一面側に設けられた押釦スイッチ(9)とそれに対応して設けられたスイッチ押込部(1c1〜1c4)とキー(1)に突出形成された支柱(1d1〜1d4)とその先端に当接する固定部材(7)とキー(1)を露出する開口部(53a)を有するパネル(53)とを備える。押込部位(B4)の押し込みで、キー(1)が支柱(1d3,1d4)と固定部材(7)との当接点まわりに回動しスイッチ押込部(1c4)が押釦スイッチ(9)を押してＯＮにする。非押込部位(A)の押し込みで、キー(1)が支柱(1d4)と固定部材(7)との当接点(P5)まわりに回動し押釦スイッチ(9)がＯＮしないように前にキー(1)とパネル(53)とが当接して回動を禁止する。【選択図】図１１
2015125851.tif 000002
【特許請求の範囲】
【請求項１】
周方向に離隔してＮ（Ｎは２以上の整数）箇所の押し込み部位が設定されたキートップと、
前記押し込み部位のそれぞれに対応して前記キートップの一面側に設けられた押し釦スイッチと、
前記キートップの前記一面側において前記押し釦スイッチそれぞれに対応した位置に設けられたスイッチ押し込み部と、
前記キートップから前記一面側に突出する支柱と、
前記支柱の先端に当接可能に対向配置された固定部材と、
前記キートップの他面側の少なくとも一部を露出させる開口部を有するパネルと、
を備え、
一つの前記押し込み部位が前記一面側に押し込まれたときに、前記キートップが前記支柱と前記固定部材との当接点まわりに回動すると共に、前記一つの押し込み部位に対応した前記スイッチ押し込み部が前記押し釦スイッチを押してＯＮ又はＯＦＦにし、
隣接する前記押し込み部位の間の非設定押し込み部位が前記一面側に押し込まれたときに、前記キートップが前記支柱と前記固定部材との当接点まわりに回動すると共に、少なくとも前記隣接する押し込み部位に対応した前記スイッチ押し込み部の両方が前記押し釦スイッチをＯＮ又はＯＦＦしないように、前記キートップの前記他面側の面と前記パネルとの当接又は前記キートップの前記一面側の部位と前記固定部材との当接により前記キートップの回動を禁止するよう構成されている多方向入力構造。
【請求項２】
前記支柱は、前記固定部材に対し前記Ｎ箇所の当接点が得られるようＮ個の周方向頂部を有する集合支柱又は独立したＮ個の分割支柱として形成されており、
前記周方向頂部又は前記分割支柱は、前記キートップの中心位置に対し、前記隣接する押し込み部位間の周方向角度における概ね中央となる位置に一つずつ位置し、
前記押し込み部位の一つが前記一面側に押し込まれたときに、前記キートップは、押し込まれた前記押し込み部位に近い隣接する一対の前記周方向頂部又は一対の前記分割支柱を繋ぐ直線まわりに回動し、
前記非設定押し込み部位が前記一面側に押し込まれたときに、前記キートップは、前記非設定押し込み部位に近い一つの前記周方向頂部又は一つの前記分割支柱と前記固定部材との当接点まわりに回動することを特徴とする請求項１記載の多方向入力構造。
【請求項３】
前記回動が前記キートップの前記他面側の面と前記パネルとの当接で禁止される場合、その当接位置は、前記キートップにおける前記一つの押し込み部位に対し前記当接点を挟んで反対側に位置していることを特徴とする請求項１又は請求項２記載の多方向入力構造。
【請求項４】
前記キートップの他面側の面と前記パネルとの当接は、少なくとも一方に突出形成されたストッパによりなされることを特徴とする請求項１〜３のいずれか１項に記載の多方向入力構造。
【発明の詳細な説明】
【技術分野】
【０００１】
本発明は、多方向入力構造に係る。
【背景技術】
【０００２】
入力用のキートップを有し、そのキートップの例えば上下左右の四つの周縁部位を押し込み部位として設定すると共に、各押し込み部位に対応して押し釦スイッチを配置し、押し込み部位のいずれかを押し込むことで、対応した押し釦スイッチのＯＮ／ＯＦＦ動作を実行できるスイッチ装置が知られている。このようなスイッチ装置は、多方向入力装置などとも称される。また、一例が特許文献１に記載されている。
【０００３】
特許文献１に記載されたスイッチ装置は、キートップの表面側に上下左右方向を示す矢印が記されており、矢印が記されたいずれかの部位を押し込むと、キートップが、その裏面中央部に形成された突起を支点として傾き、押し込んだ部位に対応して配置されたスイッチをオンにすることができるようになっている。
【先行技術文献】
【特許文献】
【０００４】
【特許文献１】特開平８−０７７８８６号公報
【発明の概要】
【発明が解決しようとする課題】
【０００５】
ところで、特許文献１に記載されたスイッチ装置は、キートップに記された隣接する二つの矢印の間の部位を押し込んだ場合に、二つの矢印それぞれに対応して配置された二つのスイッチが共にオンになるという、所謂スイッチの同時押しが生じる虞があった。そのため、このスイッチ装置は、必ず一つのスイッチのみをオンとする使い方に適用しにくく、スイッチの同時押しを確実に防止する工夫が望まれていた。
【０００６】
すなわち、本発明が解決しようとする課題は、隣接するスイッチの同時押しを確実に防止するための多方向入力構造を提供することにある。
【課題を解決するための手段】
【０００７】
上記の課題を解決するために、本発明は次の構成を有する。
１）  周方向に離隔してＮ（Ｎは２以上の整数）箇所の押し込み部位(B1〜B4)が設定されたキートップ(1)と、
前記押し込み部位(B1〜B4)のそれぞれに対応して前記キートップ(1)の一面側に設けられた押し釦スイッチ(9)と、
前記キートップ(1)の前記一面側において前記押し釦スイッチ(9)それぞれに対応した位置に設けられたスイッチ押し込み部(1c1〜1c4)と、
前記キートップ(1)から前記一面側に突出する支柱(1d1〜1d4)と、
前記支柱(1d1〜1d4)の先端に当接可能に対向配置された固定部材(7)と、
前記キートップ(1)の他面側の少なくとも一部を露出させる開口部(53a)を有するパネル(53)と、
を備え、
一つの前記押し込み部位(B4)が前記一面側に押し込まれたときに、前記キートップ(1)が前記支柱(1d3,1d4)と前記固定部材(7)との当接点まわりに回動すると共に、前記一つの押し込み部位(B4)に対応した前記スイッチ押し込み部(1c4)が前記押し釦スイッチ(9)を押してＯＮ又はＯＦＦにし、
隣接する前記押し込み部位(B1)(B4)の間の非設定押し込み部位(A)が前記一面側に押し込まれたときに、前記キートップ(1)が前記支柱(1d4)と前記固定部材(7)との当接点(P5)まわりに回動すると共に、少なくとも前記隣接する押し込み部位(B1)(B4)に対応した前記スイッチ押し込み部(1c1)(1c4)の両方が前記押し釦スイッチ(9)をＯＮ又はＯＦＦしないように、前記キートップ(1)の前記他面側の面(1fa)と前記パネル(53)との当接又は前記キートップ(1）の前記一面側の部位(1j4)と前記固定部材(7)との当接により前記キートップ(1)の回動を禁止するよう構成されている多方向入力構造(51)である。
【発明の効果】
【０００８】
本発明によれば、隣接するスイッチの同時押しを確実に防止できる、という効果が得られる。
【図面の簡単な説明】
【０００９】
【図１】本発明の実施の形態に係る多方向入力構造の実施例であるスイッチ構造５１が搭載されたカーオーディオ装置５２を説明するための前面図である。
【図２】本発明の実施の形態に係る多方向入力装置の実施例であるスイッチ構造５１に備えられたキートップ１を説明するための前面図である。
【図３】キートップ１を説明するための後面図である。
【図４】キートップ１を説明するための断面図である。
【図５】キートップ１を説明するための斜視図である。
【図６】スイッチ構造５１を構成するパネル５３を説明するための概略斜視図である。
【図７】スイッチ構造５１を説明するための断面図である。
【図８】スイッチ構造５１の要部を説明するための部分断面図である。
【図９】スイッチ構造５１の構成を説明するための断面図である。
【図１０】スイッチ構造５１の作用を説明するための第１の断面図である。
【図１１】スイッチ構造５１の作用を説明するための第２の断面図である。
【図１２】スイッチ構造５１の作用を説明するための第１の模式図である。
【図１３】スイッチ構造５１におけるキートップ１の回動を説明するための模式図である。
【図１４】キートップ１の変形例１であるキートップ１Ａを説明するための斜視図である。
【図１５】スイッチ構造５１におけるストッパＳの変形例を説明するための部分断面図である。
【発明を実施するための形態】
【００１０】
本発明の実施の形態に係る多方向入力構造を、好ましい実施例及び変形例により図１〜図１５を参照して説明する。
以下の説明において、上下前後左右の各方向を、各図に示される矢印の方向に規定している。この方向は、使用状態の姿勢における方向等とは関係がなく、理解容易のため便宜的に規定している。
【００１１】
（実施例）
多方向入力構造の実施例は、使用者が指で入力するためのキートップ１を備えたスイッチ構造５１である。スイッチ構造５１は、電子機器（例えばカーオーディオ装置）に搭載され、使用者の押し込み操作により４つのＯＮ／ＯＦＦ動作をそれぞれ独立に実行するものである。
【００１２】
具体例として、スイッチ構造５１は、図１に示されるように、１ＤＩＮタイプのカーオーディオ装置５２のパネル５３において、パネル５３に設けられた開口部５３ａからキートップ１が外部に露出するように配置される。
作業者が指などによってキートップ１の上下左右方向のいずれかの縁部を押し込むことで、上下左右の各方向それぞれに独立したＯＮ／ＯＦＦ動作を実行させることができるようになっている。
キートップ１は、この例において、１ＤＩＮタイプの横長のパネル５３に対応するデザインとして横長形状とされている。パネル５３は、カーオーディオ装置５２の内部に備えられたシャーシ（図示せず）に固定されている。
【００１３】
キートップ１の詳細は、図２〜図５に示される。キートップ１は例えば樹脂で形成される。樹脂の例はＰＣ（ポリカーボネート）である。
図２は、キートップ１の前面図であり、図３は、キートップ１の後面図であり、図４は、図３におけるＳ１−Ｓ１断面図であり、図５は、右後方のやや上方から見た斜視図である。
【００１４】
キートップ１は、前面視又は後面視において、左右方向を長手とした長丸板状に形成された底部１ａと、底部１ａの周縁から後方側に向け立設した周壁部１ｂと、を有し、後面側が開放された長丸カップ状に形成されている。
また、キートップ１の周壁部１ｂは、前後方向の中間位置において、径方向外方に全周で張り出したフランジ部１ｆを有している。以下、底部１ａ及び周壁部１ｂで形成された長丸カップ状部材を、本体部ＨＴとも称する。
【００１５】
周壁部１ｂの後方側の端部１ｂ１において、キートップ１の中心軸線ＣＬ１に対して上、左、下、右となる位置には、それぞれ後方側に突出する円柱状の突起１ｃ１〜１ｃ４（符号は図３における反時計回り順）が形成されている。この突起１ｃ１〜１ｃ４は、後述する押し釦スイッチ９を押し込むスイッチ押し込み部として機能する。
詳しく説明すると、突起１ｃ１及び突起１ｃ３は、図３において中心軸線ＣＬ１を通る上下方向線ＬＮ１上に形成され、突起１ｃ２及び突起１ｃ４は、中心軸線ＣＬ１を通る左右方向線ＬＮ２上に形成されている。
端部１ｂ１の外周縁側には、後方側に突出する周縁リブ１ｂ２が形成されている。
【００１６】
図４に示されるように、突起１ｃ１〜１ｃ４の先端面１ｃ１ａ〜１ｃ４ａは、中心軸線ＣＬ１に直交する仮想平面ＳＦ１に含まれるように形成されている。
仮想平面ＳＦ１の前後方向位置（中心軸線ＣＬ１に沿った位置）は、周縁リブ１ｂ２の先端面１ｂ２ａに対して後方側に距離Ｌａだけ離れた位置にある。
図３に示されるように、突起１ｃ２及び突起１ｃ４のそれぞれ最左位置及び最右位置は、上下方向線ＬＮ１からそれぞれ距離Ｗｂの位置にある。
突起１ｃ１及び突起１ｃ３のそれぞれ最上位置及び最下位置は、左右方向線ＬＮ２からそれぞれ距離Ｗｃの位置にある。
【００１７】
底部１ａには、中心軸線ＣＬ１の位置を囲むように四つの支柱１ｄ１〜１ｄ４(符号は、図３における反時計回り方向順）が立設されている。支柱１ｄ１〜１ｄ４のそれぞれは分割支柱とも称する。
詳しくは、図３及び図４に示されるように、支柱１ｄ１は、上下方向線ＬＮ１から左方に距離Ｌｂ離れ、左右方向線ＬＮ２から上方に距離Ｌｃ離れた位置に形成されている。
支柱１ｄ２は、上下方向線ＬＮ１から左方に距離Ｌｂ離れ、左右方向線ＬＮ２から下方に距離Ｌｃ離れた位置に形成されている。
支柱１ｄ３は、上下方向線ＬＮ１から右方に距離Ｌｂ離れ、左右方向線ＬＮ２から下方に距離Ｌｃ離れた位置に形成されている。
支柱１ｄ４は、上下方向線ＬＮ１から右方に寄りＬｂ離れ、左右方向線ＬＮ２から上方に距離Ｌｃ離れた位置に形成されている。
【００１８】
図３において、支柱１ｄ１及び支柱１ｄ３は、中心軸線ＣＬ１を通り、左右方向線ＬＮ２に対して角度αａで右下がりとなる直線ＬＮ３上に形成されている。支柱１ｄ２及び支柱１ｄ４は、中心軸線ＣＬ１を通り、左右方向線ＬＮ２に対して角度αａで右上がりとなる直線ＬＮ４上に形成されている。
支柱１ｄ１〜１ｄ４は、強度及び成形時の樹脂流動性確保のため、底部１ａから端部１ｂ１と同じ高さとなるよう形成された連結壁１ｅで連結されている。連結壁１ｅは、概ねＸ字状を呈し、周壁部１ｂ対しても複数部位で連結されている。
【００１９】
図４に示されるように、支柱１ｄ１〜１ｄ４の先端は、球面状に形成されており、最後端側となる高さ位置（前後方向位置）は、中心軸線ＣＬ１に直交する仮想平面ＳＦ２に含まれるようになっている。仮想平面ＳＦ２の高さ位置は、仮想平面ＳＦ１に対し、前方側に距離Ｌｄだけ寄った位置にある。
【００２０】
一方、図２に示されるように、底部１ａの前面１ａ１は意匠面とされており、支柱１ｄ１〜１ｄ４に概ね対応した位置である押し込み部位Ｂ１〜Ｂ４に、指の触感で押し込み部位を判断できるように突出マーク１ａ１ａ〜１ａ１ｄが形成されている。この押し込み部位は、周方向に離隔してＮ（Ｎは２以上の整数）箇所設定される。この例ではＮ＝４である。
また、前面１ａ１における突出マーク１ａ１ａ〜１ａ１ｄの近傍には、各突起を押し込んだときに発揮されるカーオーディオ装置５２としての機能を使用者が把握できるように、マークＭが視認可能に表示されている。
【００２１】
本体部ＨＴにおける周壁部１ｂの外周面１ｂ３の複数箇所、すなわち、この例では四箇所なる接続部Ｐ１〜Ｐ４には、ヒンジ１ｈ１〜１ｈ４が一体的に接続して形成されている。
【００２２】
詳しくは、図３に示されるように、ヒンジ１ｈ１とヒンジ１ｈ２とは、一端側が、それぞれ周壁部１ｂの左上部の接続部Ｐ１と左下部の接続部Ｐ２に接続すると共に、他端側が連結部１ｈ１２により連結されて一体のヒンジ体ＨＬを形成している。
また、ヒンジ１ｈ３とヒンジ１ｈ４とは、一端側が、それぞれ周壁部１ｂの右下部の接続部Ｐ３と右上部の接続部Ｐ４に接続すると共に、他端側が連結部１ｈ３４により連結されて一体のヒンジ体ＨＲを形成している。
ヒンジ体ＬＨは、本体部ＨＴに対し、短手の上下方向よりは、長手の左方向に延びるように、また、ヒンジ体ＬＲは、本体部ＨＴに対し、短手の上下方向よりは、長手の右方向に延びるように形成されている。
【００２３】
図４にも示されるように、連結部１ｈ１２及び１ｈ３４は、ヒンジ１ｈ１〜１ｈ４に対して後方側に突出しており、突出する側の端部の前後方向位置は、支柱１ｄ１〜１ｄ４の先端位置、と同じ高さの仮想平面ＳＦ３に含まれるように設定されている。仮想平面ＳＦ３は、中心軸線ＣＬ１に直交し、仮想平面ＳＦ２と同じ前後方向位置に設定される。
【００２４】
次に、ヒンジ体ＨＬ，ＨＲについて詳しく説明する。
図３及び図５において、ヒンジ体ＨＬのヒンジ１ｈ１は、周壁部１ｂの接続部Ｐ１から斜め左上方に延出する延出部１ｈ１ａと、延出部１ｈ１ａの先端から左方に概ね左右方向線ＬＮ２に平行に延在する延在部１ｈ１ｂと、延在部１ｈ１ｂの左方先端から弧状に折り返し延在部１ｈ１ｂよりも左右方向線ＬＮ２側に延在部１ｈ１ｂと概ね平行に延在する戻り延在部１ｈ１ｃと、戻り延在部１ｈ１ｃの右方先端に設けられ、前後方向に貫通する孔１ｈ１ｄを有する固定部１ｈ１ｅと、を有している。
【００２５】
ヒンジ１ｈ２は、周壁部１ｂの接続部Ｐ２から斜め左下方に延出する延出部１ｈ２ａと、延出部１ｈ２ａの先端から屈曲して周壁部１ｂに沿って左上方に向け弧状に延在する延在部１ｈ２ｂと、延在部１ｈ２ｂの上方先端に設けられ、前後方向に貫通する孔１ｈ２ｄを有する固定部１ｈ２ｅと、を有している。
【００２６】
ヒンジ１ｈ１の固定部１ｈ１ｅは、左右方向線ＬＮ２よりも上方側に位置し、ヒンジ１ｈ２の固定部１ｈ２ｅは、概ね左右方向線ＬＮ２上に位置している。
固定部１ｈ１ｅと固定部１ｈ２ｅとは、連結部１ｈ１２で上下方向に概ね直状に連結されている。
【００２７】
ヒンジ１ｈ３は、周壁部１ｂの接続部Ｐ３から斜め右下方に延出する延出部１ｈ３ａと、延出部１ｈ３ａから右方に概ね左右方向線ＬＮ２に平行に延在する延在部１ｈ３ｂと、延在部１ｈ３ｂの右方先端から折り返して延在部１ｈ３ｂよりも左右方向線ＬＮ２側に延在部１ｈ３ｂと概ね平行に延在する戻り延在部１ｈ３ｃと、戻り延在部１ｈ３ｃの左方先端に設けられ、前後方向に貫通する孔１ｈ３ｄを有する固定部１ｈ３ｅと、を有している。
【００２８】
ヒンジ１ｈ４は、周壁部１ｂの接続部Ｐ４から斜め右上方に延出する延出部１ｈ４ａと、延出部１ｈ４ａから右方に概ね左右方向線ＬＮ２に平行に延在する延在部１ｈ４ｂと、延在部１ｈ４ｂの右方先端から折り返して延在部１ｈ４ｂよりも左右方向ＬＮ２側に延在部１ｈ４ｂと概ね平行に延在する戻り延在部１ｈ４ｃと、戻り延在部１ｈ４ｃの左方先端に設けられ、前後方向に貫通する孔１ｈ４ｄを有する固定部１ｈ４ｅと、を有している。
【００２９】
ヒンジ１ｈ３の固定部１ｈ３ｅとヒンジ１ｈ４の固定部１ｈ４ｅとは、上下方向線ＬＮ１及び左右方向線ＬＮ２からの距離がそれぞれ概ね等しい位置にあり、両部位は連結部１ｈ３４で上下方向に概ね直状に連結されている。
【００３０】
ヒンジ１ｈ１〜１ｈ４の形状は上述の態様に限定されるものではない。詳しくは、キートップ１を保持する相手部材(この例ではパネル５３）の形状などに応じて設定される。固定部１ｈ１ｅ〜１ｈ４ｅの位置は、本体部ＨＴの短手方向（上下方向）の幅の内側に設定されることが望ましい。
【００３１】
ヒンジ１ｈ１〜１ｈ４は、固定部１ｈ１ｅ〜１ｈ４ｅを除き、横断面形状が概ね前後方向に薄い扁平の長方形を呈するように形成されている。
従って、固定部１ｈ１ｅ〜１ｈ４ｅが相手部材に固定された状態で、本体部ＨＴは、相手部材に対し、ヒンジ１ｈ１〜１ｈ４の曲げ変形及び捻り変形が容易になっている。
これにより、本体部ＨＴは、固定部材に対して、前後方向の直動，上下方向線ＬＮ１回りの回動，左右方向線ＬＮ２回りの回動，及びそれらが任意に組み合わされた揺動が可能となっている。
【００３２】
次に、キートップ１を保持するパネル５３と、キートップ１及びパネル５３を備えた多方向入力構造であるスイッチ構造５１について、図６〜図８を主に参照して詳述する。
【００３３】
図６は、パネル５３の開口部５３ａ近傍を、後面側の左上方から見た部分斜視図である。図６では、必要な部位のみを簡略化して示してある。
図７は、スイッチ構造５１を説明するための断面図である。詳しくは、スイッチ構造５１として搭載されたキートップ１における図３のＳ１−Ｓ１位置に対応する断面図である。
図８は、スイッチ構造５１を説明するための別の断面図である。詳しくは、スイッチ構造５１として搭載されたキートップ１とパネル５３とを含む図６のＳ２−Ｓ２位置での部分断面図である。
【００３４】
パネル５３は、例えば樹脂で形成されている。パネル５３には、開口部５３ａが、キートップ１の周壁部１ｂの外形形状に対し、概ね相似のやや大きい長丸形状の孔として形成されている。すなわち、開口部５３ａは、左右方向を長手とする長丸形状を呈する。パネル５３は、キートップ１の少なくとも一部と前後方向に対向するようになっている。キートップ１における対向部位は、この例においてフランジ部１ｆの前面１ｆａである。
開口部５３ａの周縁には、パネル５３の後面５３ｂに対して後方側に突出した枠壁部５３ｃが形成されている。
枠壁部５３ｃの内壁における後方側は、後方に向かうに従って開口が広がるように傾斜した内壁面５３ａ１とされ、前方側は、前方に向かうに従って開口が広がるように傾斜した傾斜面５３ａ２とされている。
【００３５】
枠壁部５３ｃの後方側の端面５３ｃ３には、後方側に突出する突起であるストッパＳが複数形成されている。
この例では、ストッパＳ１２，Ｓ２３，Ｓ３４，Ｓ４１の四つである。
ストッパＳが形成されている位置は、図６の後方側から見て、中心軸線ＣＬ１Ａに対して左上，左下，右下，及び右上となる位置であり、この反時計回り順で符号Ｓ１２，Ｓ２３，Ｓ３４，Ｓ４１を付してある。
【００３６】
より詳しくは、四つのストッパＳは、中心軸線ＣＬ１Ａまわりの１８０°回転対称となる位置に形成されている。
例えば、ストッパＳ４１は、後方視において、左右方向線ＬＮ２に対し、反時計回り方向に角度αｂの位置に設けられている。
角度で説明すると、図６において、ストッパＳ１２及びストッパＳ３４は、中心軸線ＣＬ１に直交し、左右方向線ＬＮ２に対して角度αｂで右下がりとなる直線ＬＮ５上に形成されている。ストッパＳ２３及びストッパＳ４１は、中心軸線ＣＬ１に直交し、左右方向線ＬＮ２に対して角度αｂで右上がりとなる直線ＬＮ６上に形成されている。
ここで、角度αａと角度αｂは、近い角度で設定される。この例では、αａ＝αｂの同じ角度とされている。近い角度は差が概ね１５°以下であり、例えば差が１０°のαａ＝３０°，αｂ＝４０°であってもよい。
【００３７】
枠壁部５３ｃに対し径方向外側には、十字状の台座５ａ〜５ｄ及び各台座５ａ〜５ｄから後方に向け立設されたボス６ａ〜６ｄが形成されている。
図７に一部が示されるように、スイッチ構造５１において、ヒンジ体ＨＬの孔１ｈ１ｄ，１ｈ２ｄがそれぞれボス６ａ，６ｂに挿通され、固定部１ｈ１ｅ，１ｈ２ｅがそれぞれ台座５ａ，５ｂに当接し、キートップ１の前方向の位置規制がなされる。
同様に、ヒンジ体ＨＲの孔１ｈ３ｄ，１ｈ４ｄがそれぞれボス６ｃ，６ｄに挿通され、固定部１ｈ３ｅ，１ｈ４ｅがそれぞれ台座５ｃ，５ｄに当接し、キートップ１の前方向の位置規制がなされる。
このように、ボス６ａ〜６ｄによりヒンジ体ＨＬ，ＨＲの左右上下方向の位置が決まると、周壁部１ｂは、開口部５３ａの内法に対し所定のクリアランスを有して開口部５３ａ内に進入した状態で保持される。
【００３８】
図７に示されるように、パネル５３取り付けられたキートップ１に対し、後方側には、シールド板７及び基板８が配設される。シールド板７及び基板８は、カーオーディオ装置５２のシャーシ（図示せず）側に固定された固定部材である。
基板８の前面８ａは、パネル５３に取り付けられたキートップ１の突起１ｃ１〜１ｃ４に対応した位置それぞれに、押し釦スイッチ９が設けられている。スイッチ構造５１では、この押し釦スイッチ９として、タクトスイッチ（登録商標）が設けられている。以下、押し釦スイッチ９をタクトスイッチ９とも称する。
タクトスイッチ９は、略箱状のケース９ａからスイッチ９ｂが前方に突出した外観を呈している。スイッチ９ｂが後方側に所定のストローク（例えば０．２ｍｍ）押し込まれると接点がＯＮになり、押し込み力が解除されると、内蔵したばねの反発力により復帰するようになっている。
すなわち、スイッチ押し込み部である突起１ｃ１〜１ｃ４の押し込みによって、タクトスイッチ９の接点がＯＮ又はＯＦＦするようになっている。
【００３９】
スイッチ構造５１では、基板８は、各スイッチ９ｂの前端面９ｂ１と、自然状態でのキートップ１の突起１ｃ１〜１ｃ４の先端面１ｃ１ａ〜１ｃ４ａと、が、所定のクリアランスをもって対向又はクリアランスなしで接触するよう配設されている。
【００４０】
シールド板７は、高剛性の部材（例えば金属板）で形成され、その折り曲げ部７ａが基板８に突き当たることなどにより、基板８に対して前方側に、所定間隔で平行に離隔するように配設されている。
シールド板７の前面７ｂの高さ位置は、自然状態のキートップ１における仮想平面ＳＦ３の位置とされる。
すなわち、キートップ１に外部から押し込み力が付与されていない自然状態で、キートップ１の支柱１ｄ１〜１ｄ４の先端及び連結部１ｈ１２，１ｈ３４は、シールド板７の前面７ｂに当接した状態又は微小クリアランスで当接可能な状態に対向配置されている。
これにより、キートップ１は、連結部１ｈ１２，１ｈ３４がシールド板７により後方側への移動が規制されると共に、固定部１ｈ１ｅ〜１ｈ４ｅが台座５ａ〜５ｄにより前方側への移動が規制されることで、挟まれるように前後方向の位置が決められている。
【００４１】
図７は、上述のように、キートップ１に外力が付与されていない自然状態を示し、この自然状態ではいずれのタクトスイッチ９もＯＦＦとなっている。
また、この自然状態で、図８に示されるように、各ストッパＳと各フランジ部１ｆの前面１ｆａとの間には、所定の隙間が、前後方向の距離ＤＳで生じている。この距離ＤＳについては後述する。
【００４２】
次に、上述したスイッチ構造５１の動作について、説明する。この説明は、理解容易のため、上述の構造を模式的に表した模式図である図９〜図１１を主に参照して説明する。
【００４３】
図９及び図１０は、図３のＳ１−Ｓ１位置に対応した模式的断面図であり、図１１は、図３のＳ３−Ｓ３位置に対応した模式的断面図である。
詳しくは、図９はキートップ１に外力が付与されていない自然状態を示し、図１０は、キートップ１における突起１ｃ４に対応した前面１ａ１の突出マーク１ａ１ｄ（図２も参照）近傍を指で押し込んだ状態を示している。また、図１１は、キートップ１の前面１ａ１における、突出マーク１ａ１ｃと突出マーク１ａ１ｄとの間の部位Ａ（図２参照）を指で押し込んだ状態を示している。
【００４４】
図９に示されるように、自然状態で、キートップ１は、支柱１ｄ１〜１ｄ４がすべてシールド板７の前面７ｂに当接又はほぼ当接状態とされ、中心軸線ＣＬ１がシールド板７に直交する姿勢となっている。
【００４５】
図１０に示されるように、突出マーク１ａ１ｄ近傍を指で押し込むと、支柱１ｄ３及び支柱１ｄ４のシールド板７との各当接点を繋いで上下方向に延びる回動軸線ＣＬ２を中心に時計回り方向（矢印ＤＲ１参照）に回動する。
スイッチ構造５１において、キートップ１の突出マーク１ａ１ａ〜１ａ１ｄ近傍部位を押し込んで本体部ＨＴを回動させた場合に、タクトスイッチ９がＯＮになるまで、その回動が許容されるようになっている。
すなわち、少なくとも、所定ストローク（例えば０．２ｍｍ）押し込まれてスイッチ９ｂがＯＮになる。このときの中心軸線ＣＬ１の回動角度はθａである。
【００４６】
本体部ＨＴが回動すると、ヒンジ体ＨＬには、本体部ＨＴが前方に向かう弾性的な曲げ変形が主に生じ、ヒンジ体ＨＲには、本体部ＨＴが後方に向かう弾性的な曲げ変形が主に生じる。この弾性変形の反発力により、作業者は、押し込み操作において良好な操作感が得られる。
指を放すと、スイッチ９ｂの戻り力及びヒンジ体ＨＬ，ＨＲの反発力により、キートップ１は、自然状態に復帰する。
【００４７】
この回動動作及び復帰動作は、押し込み部位を、突出マーク１ａ１ｂ近傍として押し込んだ場合も同様である。
一方、上下方向の突出マーク１ａ１，１ａ１ｃ近傍部位を押し込んだ場合は、ヒンジ体ＨＬ，ＨＲの変形が、主に弾性的捻り変形になる点で異なるものの、概ね同様である。
【００４８】
一方、スイッチ構造５１において、キートップ１の前面１ａ１における上下左右方向の縁部に設定された四箇所の押し込み部位の中間部位、すなわち、斜め上又は斜め下の縁部を押し込んだ場合、いずれかのタクトスイッチ９がＯＮになる前に、キートップ１の回動が禁止され、いずれのタクトスイッチ９もＯＮにならないようになっている。
この回動の禁止は、キートップ１とシールド板７との当接、或いは、キートップ１とパネル５３との当接、により行われるようになっている。
【００４９】
図１１には、後者のキートップ１とパネル５３との当接により回動を禁止する例が示されている。
より詳しくは、キートップ１のフランジ部１ｆの前面１ｆａと、パネル５３の枠壁部５３ｃに設けられたストッパＳとが、いずれかのタクトスイッチ９がＯＮになる前に当接し、キートップ１の回動を禁止するようになっている。
【００５０】
図１１は、図２における部位Ａ（図３における斜め右上の縁部Ａａに対応）を押し込んだ場合を示す模式的断面図である。ここで、図３に示されるように、部位Ａ（縁部Ａａ）と支柱１ｄ４とを通る直線を直線ＬＮ４とする。以下の説明では、便宜的に、直線ＬＮ４が図３において中心軸線ＣＬ１に交わるものとして説明するが、交わらない位置に設定されるものであってもよい。
図３及び図１１を参照して説明する。
部位Ａを後方に向け押し込むと、キートップ１は、部位Ａに最も近い支柱１ｄ４とシールド板７との当接点Ｐ５を回動支点として矢印ＤＲ２の方向に回動する。このとき、部位Ａと支柱１ｄ４とを結ぶ直線ＬＮ４に直交し当接点Ｐ５を通る直線ＬＮ７よりも部位Ａ側にある突起は、この回動によりタクトスイッチ９のスイッチ９ｂを押し込むことになる。図３に示される例では、該当する突起は突起１ｃ４である。
【００５１】
一方、キートップ１における、直線ＬＮ７を挟んで部位Ａの反対側となる部分は、回動により前方側に移動し、フランジ部１ｆの前面１ｆａは、枠壁部５３ｃに接近することになる。
枠壁部５３ｃの端面５３ｃ３には、ストッパＳが設けられている。ここでは、部位Ａに対し回動支点Ｐ５を挟んで概ね正反対側に設けられたストッパＳ２３が（図６も参照）、所定の角度だけ回動したキートップ１のフランジ部１ｆの前面１ｆａに当接するようになっている。
この当接のタイミングが、突起１ｃ４がスイッチ９をＯＮにする前に実行されるように（換言するならば、スイッチ９がＯＮにならないように）、各部位の寸法や位置が設定されている。
ここで、枠壁部５３ｃの端面５３ｃ３の前後方向位置は、キートップ１の回動でストッパＳよりも先にキートップ１に当接しないように、十分なクリアランスをもって設定されている。
【００５２】
上述のキートップ１の回動によるスイッチのＯＮ動作、及び回動を禁止してスイッチのＯＮ動作を回避する回避動作について、模式図である図１２及び図１３を用いてさらに詳しく説明する。
【００５３】
図１２は、キートップ１及びストッパＳ２３に関し、図３に対応した後方視として主要部位のみを抽出した図である。図１３（ａ）及び図１３（ｂ）は、押し込みに伴う前後方向の移動量を示す模式図である。
【００５４】
図１２には、キートップ１における突起１ｃ２及び突起１ｃ４の位置（いずれも十字付き丸印），中心軸線ＣＬ１の位置（黒丸印），支柱１ｄ１〜１ｄ４の先端位置（黒点印），及びストッパＳ２３の位置（二重丸印）が示されている。
さらに、従来のスイッチ構造でスイッチの同時押しが発生し得る押し込み部位として、キートップ１の斜め右上の部位Ａ（三角付き丸印）が示されている。
【００５５】
図１２において、支柱１ｄ３と支柱１ｄ４とを繋ぐ回動軸線ＣＬ２から突起１ｃ４までの左右方向距離を距離ＬＡ１、回動軸線ＣＬ２からストッパＳ２３までの左右方向距離を距離ＬＡ２、部位Ａと支柱１ｄ４とを繋ぐ直線ＬＮ４方向において、回動支点Ｐ５から部位Ａまでの距離を距離ＬＡ４、回動支点Ｐ５からストッパＳ２３までの距離を距離ＬＡ５とする。ここでは、直線ＬＮ４は、便宜的に中心軸線ＣＬ１と交わる場合を説明する。必ずしも中心軸線ＣＬ１と交わらなくてもよい。
【００５６】
ここで、正規の押し込み部位である突起１ｃ４に対応した位置が押し込まれ、突起１ｃ４の押し込み量（移動量）が、自然状態から距離Ｄ１だけ後方側に移動した位置でタクトスイッチ９がＯＮになったとする。この状態が図１３（ａ）に示されている。
この状態において、回動軸線ＣＬ２に対し、ストッパＳ２３に対応するフランジ部１ｆの前面１ｆａの、自然状態からの前方への移動距離である距離Ｄ２は、三角形の相似関係から、
Ｄ２＝（ＬＡ２ｘＤ１）／ＬＡ１
で示される。
そして、スイッチ構造５１は、タクトスイッチ９がＯＮになることを許容するので、自然状態のフランジ部１ｆの前面１ｆａからストッパＳ２３までの距離ＤＳは、少なくとも、次の（数１）を満たすように設定される。
（数１）
ＤＳ＞Ｄ２＝Ｄ１×ＬＡ２／ＬＡ１
【００５７】
一方、部位Ａが押し込まれた場合は、図１３（ｂ）に示される。
図１３（ｂ）に示されるように、部位Ａ（右端）が距離ＤＮだけ後方に押し込まれたときに、フランジ部１ｆがストッパＳ２３に当接してキートップ１の回動が禁止されるとする。
この場合、直線ＬＮ７（図３参照）よりも部位Ａ側にある突起１ｃ４の、直線ＬＮ４に沿った回動支点Ｐ５からの距離は距離ＬＡ３であり、回動が禁止されるまでの自然状態からの押し込み距離は距離ＤＴである。図１３（ｂ）では、距離ＬＡ３が距離ＬＡ４よりも短い場合を示しているが、等しい場合や長い場合もあり得る。
また、部位Ａに対し回動支点Ｐ５を挟んで反対側のストッパＳ２３に対応する前面１ｆａの自然状態からの前方への移動距離は距離ＤＳで示される。
距離ＤＳは、三角形の相似関係から、次の（数２）で示される。
（数２）
ＤＴ＝ＤＳ×ＬＡ３／ＬＡ５
【００５８】
ここで、キートップ１が、少なくとも前面１ｆａとストッパＳ２３とが当接するまで回動しても、タクトスイッチ９がＯＮにならないためには、
ＤＴ＜Ｄ１となっている必要があり、（数２）から、
（数３）
ＤＴ＝ＤＳ×ＬＡ３／ＬＡ５＜Ｄ１
である。
従って、距離ＤＳは、次の（数４）を満たすように設定される。
（数４）
ＤＳ＜Ｄ１×ＬＡ５／ＬＡ３
【００５９】
そして、スイッチ構造５１としては、（数１）と（数２）との双方を同時に満たす必要があるので、各距離は、次の（数５）を満たしていればよい。
（数５）
Ｄ１×ＬＡ２／ＬＡ１＜ＤＳ＜Ｄ１×ＬＡ５／ＬＡ３
【００６０】
上述のように、ストッパＳは、キートップ１が、タクトスイッチ９をＯＮさせるために設定した押し込み部位（以下、設定押し込み部位とも称する）以外の部位（以下、非設定押し込み部位とも称する：例えば部位Ａ）が押し込められた際に、タクトスイッチ９がＯＮにならないようにキートップ１の回動を規制する部位である。
この押し込みにより、キートップ１は、回動支点Ｐ５を支点として回動する。
回動支点Ｐ５は、中心軸線ＣＬ１よりも非設定押し込み部位側にある。
より詳しくは、回動支点Ｐ５が、隣接する設定押し込み部位の間の周方向角度における中間位置（例えば概ね中央となる位置）に一つずつ設定されるように、支柱１ｄ１〜１ｄ４が設けられている。
また、ストッパＳは、キートップ１の、非設定押し込み部位に対し回動支点Ｐ５を挟んで概ね反対側となる部位に当接して、キートップ１の回動を規制するように設けられている。
【００６１】
これらにより、キートップ１は、図１２及び図１３（ｂ）で示される、回動支点Ｐ５からストッパＳまでの距離ＬＡ５を、比較的長く設定することができるので、ストッパＳとフランジ部１ｆとの当接位置の高さ方向（前後方向）を、高精度に設定することが容易となる。
具体的には、距離ＬＡ５は、少なくとも、回動支点Ｐ５から非設定押し込み部位（部位Ａ）までの距離よりも長くとることができる。
そのため、設定押し込み部位が押し込まれた際の回動の許容と、非設定押し込み部位が押し込まれた際の回動の禁止と、を高精度に、確実に実行できる。
【００６２】
非設定押し込み部位の周方向の範囲は、適宜設定できる。ストッパＳを、実施例のように突起とすれば、非設定押し込み部位は周方向において狭い角度範囲となり、設定押し込み部位の周方向角度範囲を広くできる。すなわち、いずれか一つのタクトスイッチ９がＯＮになる押し込み範囲が広くなる。
逆に、ストッパＳを、弧状に形成すれば、非設定押し込み部位は周方向において広い角度範囲となり、設定押し込み部位の周方向角度範囲を狭くできる。すなわち、いずれか一つのタクトスイッチ９がＯＮになる押し込み範囲が狭くなる。
【００６３】
本発明の実施例は、上述した構成に限定されるものではなく、本発明の要旨を逸脱しない範囲において変形してもよい。
【００６４】
（変形例１）
図１４に示されるように、キートップ１の分割支柱である複数（四つ）の支柱１ｄ１〜１ｄ４の替わりに、中心軸線ＣＬ１Ａの位置に分割支柱を集合して一つにした集合支柱である支柱１Ａｄを設け、連結壁１ｅを除去した変形例１のキートップ１Ａとしてもよい。この支柱と連結壁以外は、キートップ１と同じ形状である。図１３は、図５に対応する斜視図である。
支柱１Ａｄは、樹脂の成形流動性を考慮して肉厚が概ね一定となるように横断面形状がＨ字状とされている。
このＨ字の周方向頂部となる四隅の端部ＰＡ１〜ＰＡ４の左右上下方向の位置及び前後方向の位置（高さ位置）が、実施例のキートップ１における支柱１ｄ１〜１ｄ４の位置にそれぞれ対応する。
スイッチ構造５１にキートップ１Ａを用いても、キートップ１を用いた場合と同様の効果が得られる。
【００６５】
（変形例２）
スイッチ構造５１におけるストッパＳは、実施例や変形例１のようにパネル５３側に設けられているものに限定されず、図１５に示されるように、キートップ１のフランジ部１ｆの前面１ｆａに、ストッパＳＡとして設けられていてもよい。
図１４は、図８に対応する図である。
また、ストッパＳを、パネル５３とフランジ部１ｆとの両方に設け、それぞれのストッパＳ同士が当接する構成にしてもよい。
【００６６】
（その他の変形例）
スイッチ構造５１におけるストッパＳを、キートップ１の、回動支点Ｐ５に対し、非設定押し込み部位Ａ側に設け、非設定押し込み部位Ａが押し込まれた際に、タクトスイッチ９がＯＮになる前に、シールド板７の前面７ｂに当接してキートップ１の回動を規制するようにしてもよい。
この場合、ストッパＳは、例えば、支柱１ｄ１〜１ｄ４よりも高さが低い柱状のストッパ柱１ｊ４（図３参照）として、底部１ａに形成される。また、非設定押し込み部位は周方向においてより狭い角度範囲となり、設定押し込み部位の周方向角度範囲をより広くできる。すなわち、いずれか一つのタクトスイッチ９がＯＮになる押し込み範囲をより広くできる。
【００６７】
本体部ＨＴに一体的に接続されたヒンジ１ｈ１〜１ｈ４は、その形状，本体部ＨＴとの接続位置，及びパネル５３側への固定位置などを適宜設定してよい。特に、曲げ変形の剛性及び捻り変形の剛性の値と両剛性の比率との調整設定により、本体部ＨＴの短手方向の設定押し下げ部位（突起１ｃ１，１ｃ３に相当）と、長手方向の設定押し下げ部位（突起１ｃ２，１ｃ４に相当）と、の押し下げ力の差を少なくできる。その結果、操作感触が良好となり、複数のタクトスイッチ９へ加わる負荷が均一化される。
【００６８】
キートップ１は、その自然状態で、突起１ｃ１〜１ｃ４の先端面１ｃ１ａ〜１ｃ４ａが、スイッチ９ｂの前端面９ｂ１を、スイッチ９ｂがＯＮにならない程度にを押し込んだ状態となるよう配設されていてもよい。
【００６９】
設定押し込み部位は、上下左右の四つに限定されず、三つ以上設定されていればよい。また、キートップの前面視形状は、長丸形状に限定されず、楕円形、円形、矩形、等種々の形状とされていてもよい。
【００７０】
キートップ１は、フランジ部１ｆが形成されてなくでもよい。この場合、底部１ａの前面１ａ１に、相手部材が当接してストッパとして機能する部位が設定されていればよい。この場合のストッパとして機能する部位は、他の部位よりも突出して形成されているとよい。
【００７１】
上述の実施例及び各変形例は、可能な範囲で互いに自由に組み合わせることができる。
【符号の説明】
【００７２】
１  キートップ
１ａ  底部、    １ａ１  前面、    １ａ１ａ〜１ａ１ｄ  突出マーク
１ｂ  周壁部、    １ｂ１  端部、    １ｂ２  周縁リブ
１ｂ２ａ  先端面、    １ｂ３  外周面、    １ｃ１〜１ｃ４  突起
１ｃ１ａ〜１ｃ４ａ  先端面、    １ｄ１〜１ｄ４  支柱、    １ｅ  連結壁
１ｆ  フランジ部、    １ｆａ  前面、    １ｈ１〜１ｈ４  ヒンジ
１ｈ１２，１ｈ３４  連結部、    １ｈ１ａ〜１ｈ４ａ  延出部
１ｈ１ｂ〜１ｈ４ｂ  延在部
１ｈ１ｃ，１ｈ３ｃ，１ｈ４ｃ  戻り延在部、    １ｈ１ｄ〜１ｈ４ｄ  孔
１ｈ１ｅ〜１ｈ４ｅ  固定部、    １ｊ４  ストッパ柱
５ａ〜５ｄ  台座
６ａ〜６ｄ  ボス
７  シールド板、    ７ａ  折り曲げ部、    ７ｂ  前面
８  基板、    ８ａ  前面
９  タクトスイッチ（押し釦スイッチ）
９ａ  ケース、    ９ｂ  スイッチ、    ９ｂ１  前端面
５１  スイッチ構造（多方向入力構造）
５２  カーオーディオ装置
５３  パネル
５３ａ  開口部、    ５３ａ１  内壁面、    ５３ａ２  傾斜面
５３ｂ  後面、    ５３ｃ  枠壁部、    ５３ｃ３  端面
Ｂ１〜Ｂ４  押し込み部位
ＣＬ１，ＣＬ１Ａ  中心軸線、    ＣＬ２  回動軸線
ＨＬ，ＨＲ  ヒンジ体、    ＨＴ  本体部
Ｌａ〜Ｌｄ  距離
ＬＮ１  上下方向線、    ＬＮ２  左右方向線、    ＬＮ３〜ＬＮ７  直線
Ｍ  マーク
Ｐ１〜Ｐ４  接続部、    Ｐ５  回動支点
ＳＦ１〜ＳＦ３  仮想平面
Ｓ，Ｓ１２，Ｓ２３，Ｓ３４，Ｓ４１，ＳＡ  ストッパ
Ｗｂ，Ｗｃ  距離
αａ，αｂ  角度
【図１】
2015125851.tif 000003
【図２】
2015125851.tif 000004
【図３】
2015125851.tif 000005
【図４】
2015125851.tif 000006
【図５】
2015125851.tif 000007
【図６】
2015125851.tif 000008
【図７】
2015125851.tif 000009
【図８】
2015125851.tif 000010
【図９】
2015125851.tif 000011
【図１０】
2015125851.tif 000012
【図１１】
2015125851.tif 000013
【図１２】
2015125851.tif 000014
【図１３】
2015125851.tif 000015
【図１４】
2015125851.tif 000016
【図１５】
2015125851.tif 000017